(57)【特許請求の範囲】
【請求項１】
裾を有するトラウザーと、上縁を有するブーツと、補強層とを備えており、
上記裾の近傍が、上縁の近傍に接合されており、
上記補強層が、裾の近傍においてトラウザーの内面に積層されており、かつその全部又は一部が上縁よりも上方に位置しており、
上記上縁よりも上方において、上記補強層が上記トラウザーに接合されており、
上記トラウザーが、布地とこの布地の内面に積層されたコーティング層とを備えており、このコーティング層の基材が熱可塑性樹脂であり、
上記補強層が、布地とこの布地の外面に積層されたコーティング層とを備えており、このコーティング層の基材が熱可塑性樹脂であり、
上記補強層が上記トラウザーに熱融着されているウェーダー。
【発明の詳細な説明】
【技術分野】
【０００１】
本発明は、釣り人等に着用されるウェーダーに関する。詳細には、本発明は、トラウザーとブーツとを備えたウェーダーに関する。
【背景技術】
【０００２】
渓流の釣りでは、下半身が水につかった状態で釣りが行われる。鮎釣りやシーバスフィッシングでも、釣り人は水につかって釣りを行う。これらの釣りでは、釣り人はウェーダーを着用する。ウェーダーは、防水性である。ウェーダーは、釣り人の体や衣服が濡れることを防ぐ。
【０００３】
図５は、従来のウェーダー２の一部が人体の脛４と共に示された断面図である。このウェーダー２は、トラウザー６とブーツ８とからなる。図５には、トラウザー６の裾１０の近傍及びブーツ８の上縁１２の近傍が示されている。裾１０の内周面は、接着剤１４によってブーツ８の外周面と接合されている。トラウザー６とブーツ８とは、水密に接合されている。トラウザー６とブーツ８とを備えたウェーダー２が、特開２００４−１６２２２５公報に開示されている。
【先行技術文献】
【特許文献】
【０００４】
【特許文献１】特開２００４−１６２２２５公報
【発明の概要】
【発明が解決しようとする課題】
【０００５】
ウェーダー２が着用される釣りでは、釣り人は好ポイントを求めて広範囲を歩き回る。さらに釣り人は、岩に登る、しゃがむ等の動作を繰り返す。ブーツ８を有するウェーダー２では、一般に、トラウザー６に非伸縮性の生地が用いられる。この生地は、釣り人の脚の動作に追従しにくい。動作への追従性の観点から、トラウザー６の股下が十分長く設定される。
【０００６】
ブーツ８には強度が必要なので、ブーツ８には硬度の高いゴムが用いられている。一方、トラウザー６は柔軟である。トラウザー６とブーツ８との剛性差は、大きい。トラウザー６の股下が長いことと相まって、トラウザー６は、ブーツ８の上縁１２において折れ曲がり、ブーツ８と脛４との間に浸入する。この浸入で生じたスペースには、図５に示されるように、水１６が浸入する。このスペースに、ゴミが溜まることもある。
【０００７】
釣り人は、歩行のとき、膝や足首を曲げる。トラウザー６は形状保持性を有さないので、歩行時に釣り人の脚と共に変形する。一方ブーツ８は、高硬度であるため変形しにくい。この結果、トラウザー６はブーツ８の上縁１２の近傍において局部的に折り曲げられ、かつ引っ張られる。上縁１２の近傍において、トラウザー６に応力が集中する。応力集中によってトラウザー６に穴が開き、この穴からブーツ８に水が進入してしまう。穴が開いたウェーダー２は、防水機能を発揮しないので、もはや使用に耐えない。
【０００８】
本発明の目的は、トラウザーがブーツに浸入しにくく、かつトラウザーに穴が開きにくいウェーダーの提供にある。
【課題を解決するための手段】
【０００９】
本発明に係るウェーダーは、裾を有するトラウザーと、上縁を有するブーツと、補強層とを備える。裾の近傍は、上縁の近傍に接合されている。補強層は、裾の近傍においてトラウザーの内面に積層されている。補強層は、その全部又は一部が上縁よりも上方に位置している。
【００１０】
トラウザーは、布地とこの布地の内面に積層されたコーティング層とを備えうる。好ましくは、コーティング層の基材は熱可塑性樹脂であり、補強層の基材も熱可塑性樹脂である。補強層は、トラウザーに熱融着される。
【００１１】
補強層が、布地とこの布地の外面に積層されたコーティング層とを備えてもよい。好ましくは、このコーティング層の基材は、熱可塑性樹脂である。補強層は、トラウザーに熱融着される。
【発明の効果】
【００１２】
本発明に係るウェーダーでは、補強層によって裾近傍の剛性が高められる。従って、トラウザーがブーツに浸入しない。このウェーダーでは、裾に水やゴミが溜まりにくい。補強層によって応力集中が避けられるので、トラウザーに穴が開きにくい。このウェーダーは、耐久性に優れる。
【図面の簡単な説明】
【００１３】
【図１】図１は、本発明の一実施形態に係るウェーダーが示された斜視図である。
【図２】図２は、図１のウェーダーの一部が示された拡大断面図である。
【図３】図３は、本発明の他の実施形態に係るウェーダーの一部が示された断面図である。
【図４】図４は、本発明のさらに他の実施形態に係るウェーダーの一部が示された断面図である。
【図５】図５は、従来のウェーダーの一部が示された断面図である。
【発明を実施するための形態】
【００１４】
以下、適宜図面が参照されつつ、好ましい実施形態に基づいて本発明が詳細に説明される。
【００１５】
図１は、本発明の一実施形態に係るウェーダー２０が示された斜視図である。このウェーダー２０は、トラウザー２２と、一対のブーツ２４とを備えている。トラウザー２２はブーツ２４と接合されている。トラウザー２２とブーツ２４とは、一体となっている。トラウザー２２は、尻部２６と、一対の脚部２８と、一対の肩ベルト３０とを備えている。
【００１６】
図２には、脚部２８の一部が示されている。図２に示されるように、トラウザー２２は、布地３０とコーティング層３２とからなる。布地３０は、糸が織られてなる。耐摩耗性、履き心地等の観点から、ナイロン糸からなる布地３０が好ましい。コーティング層３２は、熱可塑性樹脂組成物からなる。この組成部の基材樹脂としては、ポリ塩化ビニルが挙げられる。基材樹脂として、ポリウレタンが用いられてもよい。トラウザー２２が、防水透湿布地からなってもよい。この防水透湿布地により、外部からの水の進入が阻止され、汗の水蒸気が外部へと放出される。この防水透湿布地により、蒸れが抑制される。防水透湿布地の具体例としては、シマノ社の「ドライシールド」及びゴアテックス社の「ＧＯＲＥ−ＴＥＸ（登録商標）」が挙げられる。
【００１７】
図２に示されるように、ブーツ２４は、アウトソール３４、ミッドソール３６、アッパー３８、裏地４０及び止めリング４２を備えている。図示されていないが、このブーツ２４は、インソールも備えている。
【００１８】
アウトソール３４は、フェルトからなる。フェルトは、濡れた岩場等におけるブーツ２４のスリップを防止する。アウトソール３４は、面ファスナー（例えば「マジックテープ（登録商標）」）によってミッドソール３６に接合されている。アウトソール３４は、ミッドソール３６に対して着脱自在である。フェルトが摩滅した場合は、アウトソール３４が交換されうる。アウトソール３４が、ゴム又は合成樹脂からなってもよい。アウトソール３４が、スパイクピンを備えてもよい。ブーツ２４が、ミッドソール３６からの取り外しができないアウトソール３４を備えてもよい。
【００１９】
ミッドソール３６は、ゴム組成物が架橋されてなる。ミッドソール３６には、強度に優れたゴムが用いられる。好ましいゴムとしては、天然ゴム、ポリブタジエン及びスチレン−ブタジエン共重合体が例示される。
【００２０】
アッパー３８は、ゴム組成物が架橋されることで成形されている。ゴム組成物の典型的な基材ゴムは、天然ゴムである。合成ゴムが、アッパー３８に用いられてもよい。アッパー３８が、合成樹脂から成形されてもよい。合成樹脂の具体例としては、ポリ塩化ビニルが挙げられる。アッパー３８は、接着剤によってミッドソール３６と接合されている。アッパー３８が、加硫接着によってミッドソール３６と接合されてもよい。
【００２１】
裏地４０は、織布からなる。裏地４０は、アッパー３８の内面に貼り付けられている。裏地４０により、釣り人がウェーダー２０を着脱するときの摩擦係数が低減される。裏地４０は、履き心地にも寄与する。
【００２２】
止めリング４２は、アッパー３８と同等の材料からなる。止めリング４２は、アッパー３８の上縁４４の近傍に巻かれている。止めリング４２の下端４６の近傍は、アッパー３８に接合されている。典型的には、加硫接着により、止めリング４２がアッパー３８に接合される。接着剤により、止めリング４２がアッパー３８に接合されてもよい。止めリング４２の上端４８の近傍は、アッパー３８に接合されていない。
【００２３】
図２に示されるように、アッパー３８と止めリング４２との隙間に、トラウザー２２の裾５０が位置している。裾５０の外面（すなわち布地３０の外面）は、図示されない接着剤により、止めリング４２の内面と接合されている。裾５０の内面（すなわちコーティング層３２の内面）は、図示されない接着剤により、アッパー３８の外面と接合されている。接着剤により、トラウザー２２の裾５０の近傍がブーツ２４の上縁４４の近傍と水密に接合されている。
【００２４】
このウェーダー２０はさらに、補強層５２を備えている。補強層５２は、テープ状である。補強層５２は、トラウザー２２の内面（すなわちコーティング層３２の内面）に積層されている。補強層５２は、裾５０の近傍に位置している。補強層５２は、上縁４４よりも上方に位置している。補強層５２は、樹脂組成物からなる。この組成物の基材は熱可塑性樹脂である。
【００２５】
補強層５２は、熱融着によってトラウザー２２と積層されうる。トラウザー２２と補強層５２との密着の観点から、コーティング層３２の基材樹脂と補強層５２の基材樹脂とが同一であることが好ましい。例えば、コーティング層３２の基材樹脂がポリ塩化ビニルである場合、補強層５２の基材樹脂はポリ塩化ビニルが好ましい。コーティング層３２の基材樹脂がポリウレタンである場合、補強層５２の基材樹脂はポリウレタンが好ましい。補強層５２が、接着剤によってトラウザー２２に接合されてもよい。
【００２６】
図２において、矢印Ａで示された領域は上縁４４よりも下方の領域であり、矢印Ｂで示された領域は上縁４４よりも上方であってかつ補強層５２が存在する領域であり、矢印Ｃで示された領域は補強層５２よりも上の領域である。領域Ａはアッパー３８を含むので、この領域Ａにおけるウェーダー２０の剛性Ｇａは大きい。領域Ｃはトラウザー２２のみを含むので、この領域Ｃにおけるウェーダー２０の剛性Ｇｃは小さい。領域Ｂはトラウザー２２に加えて補強層５２を含むので、この領域Ｂにおけるウェーダー２０の剛性Ｇｂは剛性Ｇｃよりも大きい。一方、領域Ｂはアッパー３８を含まないので、この領域Ｂにおけるウェーダー２０の剛性Ｇｂは剛性Ｇａよりも大きい。剛性Ｇａ、Ｇｂ及びＧｃの間には、下記数式に示される関係が成り立つ。
Ｇａ ＞ Ｇｂ ＞ Ｇｃ
適切な剛性Ｇｂが得られるように、補強層５２の材質及び厚みが設定される。ポリ塩化ビニル又はポリウレタンからなる補強層５２の場合、厚みは０．１ｍｍ以上２．０ｍｍ以下が好ましい。
【００２７】
このウェーダー２０では、剛性Ｇｂが適度に大きいので、領域Ｂがしっかりと起立する。従って、ブーツ２４へのトラウザー２２の浸入が生じない。剛性Ｇｂが過大でないので、領域Ｃのトラウザー２２が補強層５２の内部に浸入することもない。このウェーダー２０では、水やゴミが溜まらない。しかも、裾５０の近傍に応力が集中しないので、トラウザー２２に穴が開きにくい。このウェーダー２０は、長持ちする。
【００２８】
図２において矢印Ｈで示されているのは、ブーツ２４の上縁４４からの補強層５２の上端５４までの高さである。ブーツ２４へのトラウザー２２の浸入抑制の観点から、高さＨは５ｍｍ以上が好ましく、１０ｍｍ以上が特に好ましい。履き心地の観点から、高さＨは２００ｍｍ以下が好ましい。
【００２９】
このウェーダー２０では、トラウザー２２の脚部２８の全周にわたって、補強層５２が設けられている。周方向の一部において、補強層５２が設けられてもよい。
【００３０】
図３は、本発明の他の実施形態に係るウェーダー５６の一部が示された断面図である。このウェーダー５６は、トラウザー５８、ブーツ６０及び補強層６２を備えている。トラウザー５８は、布地６４とコーティング層６６とからなる。布地６４及びコーティング層６６の材質は、それぞれ、図２に示された布地３０及びコーティング層３２の材質と同等である。ブーツ６０は、アッパー６８と止めリング７０とを備えている。アッパー６８及び止めリング７０の材質は、それぞれ、図２に示されたアッパー３８及び止めリング４２の材質と同等である。補強層６２の材質は、図２に示された補強層５２の材質と同等である。補強層６２は、トラウザー５８に熱融着されている。
【００３１】
このウェーダー５６では、補強層６２の下端がアッパー６８と止めリング７０との間に位置している。補強層６２の一部はアッパー６８の上縁７２よりも下方に位置し、他の部分はこの上縁７２よりも上方に位置している。
【００３２】
このウェーダー５６では、補強層６２が領域Ｂの剛性を高める。従って、ブーツ６０へのトラウザー５８の浸入が生じない。しかも、応力が集中しないので、トラウザー５８に穴が開きにくい。
【００３３】
図４は、本発明のさらに他の実施形態に係るウェーダー７４の一部が示された断面図である。このウェーダー７４は、トラウザー７６、ブーツ７８及び補強層８０を備えている。トラウザー７６は、布地８２とコーティング層８４からなる。布地８２及びコーティング層８４の材質は、それぞれ、図２に示された布地３０及びコーティング層３２の材質と同等である。ブーツ７８は、アッパー８６と止めリング８８とを備えている。アッパー８６及び止めリング８８の材質は、それぞれ、図２に示されたアッパー３８及び止めリング４２の材質と同等である。補強層８０は、布地９０とコーティング層９２とからなる。布地９０の材質は、布地８２の材質と同等である。コーティング層９２の材質は、コーティング層８４の材質と同等である。補強層８０は、トラウザー７６に熱融着されている。
【００３４】
このウェーダー７４では、補強層８０の下端がアッパー８６と止めリング８８との間に位置している。補強層８０の一部はアッパー８６の上縁９４よりも下方に位置し、他の部分はこの上縁９４よりも上方に位置している。
【００３５】
このウェーダー７４では、補強層８０が領域Ｂの剛性を高める。従って、ブーツ７８へのトラウザー７６の浸入が生じない。しかも、応力が集中しないので、トラウザー７６に穴が開きにくい。補強層が、３以上の層からなってもよい。
【産業上の利用可能性】
【００３６】
本発明に係るウェーダーは、種々の釣り場において利用されうる。このウェーダーは、釣り以外の用途にも用いられうる。
【符号の説明】
【００３７】
２０、５６、７４・・・ウェーダー
２２、５８、７６・・・トラウザー
２４、６０、７８・・・ブーツ
３０、６４、８２・・・布地
３２、６６、８４・・・コーティング層
３８、６８、８６・・・アッパー
４２、７０、８８・・・止めリング
４４、７２、９４・・・上縁
５２、６２、８０・・・補強層
【図１】
0005536417.tif 000002
【図２】
0005536417.tif 000003
【図３】
0005536417.tif 000004
【図４】
0005536417.tif 000005
【図５】
0005536417.tif 000006